(57)【要約】      （修正有）【課題】扇風器な排風装置において、自然風の様に柔らかい風に変換する気体導流構造を提供する。【解決手段】この気体導流構造は、框体１０を有し、該框体の前端に開口１０１が形成され、該框体は該開口周囲より後ろ向きに拡大延伸されて傾斜当て板１１が形成され、且つ該框体の該傾斜当て板後端の環状縁部分に対応結合部が環状に設けられ、別に該框体の内側に、少なくとも一個の幾何立体状の内層傾斜当て板１３が連接棒１２で宙づり状態に設けられ、且つ内層傾斜当て板は空間間隔を以て交互に排列するよう現出される。これにより、該框体が気流発生装置、例えばファン、自動車のエアコン或いはドライヤーの外部の排風口部分に結合されて、排風装置の発生する風が、該框体内部に連設された少なくとも一個の幾何立体状の内層傾斜当て板の阻止と導流により、清涼で柔らかい自然風のような風を形成する。【選択図】図５
0003168990.tif 000002
【実用新案登録請求の範囲】
【請求項１】
気体導流構造において、框体を有し、該框体の前端に開口が形成され、該框体は該開口周囲より後ろ向きに拡大延伸されて傾斜当て板が形成され、該框体の該傾斜当て板後端の環状縁部分に対応結合部が環状に設けられ、該框体の内側に、少なくとも一個の幾何立体状の内層傾斜当て板が連接棒で宙づり状態に連設され、該少なくとも一個の幾何立体状の内層傾斜当て板は空間間隔と交互に配置され、これにより、排風気流は該框体内部に連設された少なくとも一個の幾何立体状の内層傾斜当て板により進行経路が案内され、緩やかな自然風状の風を形成することを特徴とする、気体導流構造。
【請求項２】
請求項１記載の気体導流構造において、該框体の前端の開口は方形開口であることを特徴とする、気体導流構造。
【請求項３】
請求項１又は２記載の気体導流構造において、該少なくとも一個の幾何立体状の内層傾斜当て板が方形錐状構造であることを特徴とする、気体導流構造。
【請求項４】
請求項１記載の気体導流構造において、該框体の前端の開口は円形開口であることを特徴とする、気体導流構造。
【請求項５】
請求項１又は４記載の気体導流構造において、該少なくとも一個の幾何立体状の内層傾斜当て板が円錐状構造であることを特徴とする、気体導流構造。
【請求項６】
請求項１記載の気体導流構造において、該框体の傾斜当て板後端の環縁部分に扇風機の排風口サイズに対応する対応結合部が設けられ、該対応結合部は係止構造により該扇風機の排風口部分に取り付けられることを特徴とする、気体導流構造。
【請求項７】
請求項１記載の気体導流構造において、該框体の傾斜当て板後端の環縁部分にドライヤーの排風口のサイズに対応する対応結合部が設けられ、該対応結合部は係止構造によりドライヤーの排風口部分に取り付けられることを特徴とする、気体導流構造。
【請求項８】
請求項１記載の気体導流構造において、該框体の内側の内層傾斜当て板に精油瓶を置くための収容空間が設けられたことを特徴とする、気体導流構造。
【請求項９】
請求項８記載の気体導流構造において、該収容空間は、平台、凹溝或いは固定用バンドのいずれかとされることを特徴とする、気体導流構造。
【考案の詳細な説明】
【技術分野】
【０００１】
本考案は一種の気体導流構造に係り、特に、排風装置が排出する風を、少なくとも一つの内層傾斜当て板の阻止と導流作用により、自然風のような快適で柔らかい風とする気体導流構造であって、気流を発生する排風装置、例えば、電気扇風機、自動車のエアコン、ドライヤー或いは類似の構造に適用されるものに関する。
【背景技術】
【０００２】
亜熱帯に位置する台湾は、夏期の機構が高温多湿で、暑さを凌ぐため大部分の人が採用する方法には二つがあり、そのうち一つは、エアコンをつけること、もう一つは、扇風機を使うことである。扇風機に関しては、一般に市販されているものは、図１に示されるようであり、扇風機Ａは、前保護網Ａ１、後ろ保護網Ａ２、羽根Ａ３１及び回転軸Ａ３２、及び駆動用のモーターＡ４を包含する。且つ該前保護網Ａ１と後ろ保護網Ａ２の主要構造は、複数の細い金属線で構成される。伝統的な扇風機Ａは、モーターＡ４により羽根Ａ３１及び回転軸Ａ３２を駆動し、前後の保護網Ａ１、Ａ２の設置の目的は、回転中の羽根Ａ３１に接触する危険を防止することにある。気流は、羽根Ａ３１の回転により形成され、後ろ保護網Ａ２の外側より気流が吸い込まれて前保護網Ａ１に向けて、螺旋状に送られて発生する。
【考案の概要】
【考案が解決しようとする課題】
【０００３】
伝統的な扇風機Ａの気流は、前保護網Ａ１の隙間より直接扇風機Ａの前方に向けて送出される。ゆえに、前保護網Ａ１の真正面で受ける気流は強烈であるが、前保護網Ａ１の真正面でないと、気流を感じられない。また、伝統的な扇風機Ａは、形成した気流により室内の空気をあまり流動させられない。このほか、室内空気を清涼に、快適にし、或いは芳香をつけることもできない。
【０００４】
ゆえに、本考案者は上述の欠点を鑑み、排風装置が発生する風を自然風のように清涼で柔らかいものとする気体導流構造を提供することを思い立った。
【０００５】
本考案の主要な目的は、一種の気体導流構造を提供することにあり、それは、框体を有し、框体の前端に開口が形成され、該框体は該開口周囲より後ろ向きに拡大延伸されて幅が変化する傾斜当て板が形成され、且つ該框体の該傾斜当て板後端の環状縁部分に対応結合部が環状に設けられ、別に該框体の内側に、少なくとも一個の幾何立体状の内層傾斜当て板が連接棒で宙づり状態に設けられ、且つ内層傾斜当て板は空間間隔を以て交互に排列するよう現出される。これにより、該框体が気流発生装置、例えばファン、自動車のエアコン或いはドライヤーの外部の排風口部分に結合されて、排風装置の発生する風が、該框体内部に連設された少なくとも一個の幾何立体状の内層傾斜当て板の阻止と導流により、清涼で柔らかい自然風のような風を形成するものとする。
【０００６】
本考案のまた一つの目的は、一種の気体導流構造を提供することにあり、それは框体の内側に連接棒構造により少なくとも一つの幾何立体状の内層傾斜当て板が宙づり状態で連設され、且つ内層傾斜当て板は空間間隔を以て交互に排列されるように現出され、該少なくとも一つの内層傾斜当て板間の空間位置に、収容溝が設けられ、該収容溝に精油瓶を収容でき、快適で柔らかい自然風のような風により、ゆっくりと精油の芳香を放出させて、室内空気を清涼に保ち、良好な芳香拡散効果を達成するものとする。
【０００７】
本考案のさらにまた一つの目的は、一種の気体導流構造を提供することにあり、該気体導流構造は框体を有し、該框体前端に開口を有し、該框体は開口周囲より後方に向けて拡大延伸されて幅が変化する傾斜当て板が設けられ、且つ該框体の傾斜当て板の後端環縁部分に、対応結合部が環設され、該対応結合部により本考案が排風装置外部の排風口に取り付けられる。これにより、異なる排風装置外部の排風口に、対応するサイズの本考案の気体導流構造を配設可能で、既存の排風装置が即刻本考案の各種サイズの気体導流構造と組み合わせて使用され、大幅に本考案の普及性と機能性がアップされるものとする。
【課題を解決するための手段】
【０００８】
上述の目的を達成するため、本考案は一種の気体導流構造を提供し、該気体導流構造は、框体を有し、框体の前端に開口が形成され、該框体は該開口周囲より後ろ向きに拡大延伸されて幅が変化する傾斜当て板が形成され、且つ該框体の該傾斜当て板後端の環状縁部分に対応結合部が環状に設けられ、該対応結合部により本考案が排風装置外部の排風口部分に取り付けられる。
【０００９】
また、該框体の内側に、少なくとも一個の幾何立体状の内層傾斜当て板が連接棒で宙づり状態に設けられ、且つ内層傾斜当て板は空間間隔を以て交互に框体内側に連設され、且つ該少なくとも一個の幾何立体状の内層傾斜当て板には、各種の幾何立体形状、例えば方形錐状、円錐状或いはその他の様式を採用可能である。
【００１０】
このほか、本考案は該少なくとも一個の幾何立体状の内層傾斜当て板の空間位置に収容溝が設けられ、該収容溝に精油瓶を収容可能であり、快適で柔和な自然風のような風により、ゆっくりと精油成分を放出して、室内空気を清涼に保持し、芳香拡散効果を達成できる。
【００１１】
さらに、本考案の框体の傾斜当て板の後端環縁部分には、対応結合部が設けられ、該対応結合部により本考案が排風装置外部の排風口に取り付けられる。これにより、異なる排風装置外部のサイズの異なる排風口に、対応するサイズの本考案の気体導流構造を配設可能であり、既存の排風装置が即刻本考案の各種サイズの気体導流構造と組み合わせて使用可能であり、これにより本考案の研究開発の価値と考案意義がアップする。
【考案の効果】
【００１２】
本考案の気体導流構造は、框体を有し、該框体の前端に開口が形成され、該框体は該開口周囲より後ろ向きに拡大延伸されて傾斜当て板が形成され、且つ該框体の該傾斜当て板後端の環状縁部分に対応結合部が環状に設けられ、別に該框体の内側に、少なくとも一個の幾何立体状の内層傾斜当て板が連接棒で宙づり状態に設けられ、且つ内層傾斜当て板は空間間隔を以て交互に排列するよう現出される。これにより、該框体が気流発生装置、例えばファン、自動車のエアコン或いはドライヤーの外部の排風口部分に結合されて、排風装置の発生する風が、該框体内部に連設された少なくとも一個の幾何立体状の内層傾斜当て板の阻止と導流により、清涼で柔らかい自然風のような風を形成する。
【図面の簡単な説明】
【００１３】
【図１】伝統的な扇風機の立体図である。
【図２】本考案の実施例の立体図である。
【図３】本考案の実施例の別方向から見た立体図である。
【図４】本考案の実施例の使用状態表示図である。
【図５】図４の扇風機起動後の気体流動の表示図である。
【図６】本考案の第２実施例の立体図である。
【図７】本考案の第２実施例の別方向から見た立体図である。
【図８】本考案の第３実施例の立体図である。
【考案を実施するための形態】
【００１４】
本考案の技術内容、構造特徴、達成する目的を詳細に説明するため、以下に実施例を挙げ並びに図面を組み合わせて説明する。
【００１５】
図２、３を参照されたい。本考案は一種の気体導流構造であり、それは、框体１０を有し、該框体１０の前端に開口があり、本実施例では方形開口とされている。且つ框体１０の開口周囲が後方に向けて拡大延伸され、幅が変化する傾斜当て板１１が形成され、全体が錐状体を形成するものとされ、該傾斜当て板１１の、框体１０の後端環縁に、対応結合部１１１が設けられる。該対応結合部１１１は係止構造（図示せず）により本考案を排風装置外部の排風口部分に結合させる。
【００１６】
框体１０の内側には、連接棒１２構造により少なくとも一つの幾何立体状の内層傾斜当て板１３が宙づり状態で連設される。本実施例の内層傾斜当て板１３は一層が設けられ、方形錐状構造を形成し、また、傾斜当て板１１と内層傾斜当て板１３の間は空間間隔を以て交互に連設されている。
【００１７】
さらに、内層傾斜当て板１３の一面に、収容溝１４が設けられ、該収容溝１４の収容空間は平台、凹溝或いは瓶体固定バンドのいずれかとされる。
【００１８】
これにより、本考案の気体導流構造の框体１０は気流を発生する装置外部の排風口部分に取り付けられ、排風装置の発生する風が、該框体１０内部に連設された少なくとも一個の幾何立体状の内層傾斜当て板の阻止と導流を受けて、空気流体の流路が延長され、快適で柔和な自然風のような風を形成する。
【００１９】
図４、５に示されるように、本考案は対応結合部により排風装置（たとえば、扇風機５）に結合され、本考案の後側には羽根５１構造があり、さらに、瓶口が開放された精油瓶１５が框体１０の開口より収容溝１４内に置かれ、扇風機５を起動した後に、羽根５１の回転により発生した気流が、前向きに送られて、内層傾斜当て板１３と傾斜当て板１１の阻止と導流を受け、気流が直線経路で前向きに送出されずに、内層傾斜当て板１３と傾斜当て板１１間の延長経路の案内を受けるため、気流が自然風効果を形成し、また精油瓶１５内の精油が気流を受けて揮発し、ゆっくりと放出され、良好な芳香拡散効果を達成して室内空気を清涼とする。
【００２０】
さらに、図６、７を参照されたい。これらは本考案の第２実施例を示す。この実施例において、該框体１０の前端の開口は円形開口とされ、框体１０は先の実施例と同様に、開口周囲が後方に向けて拡大延伸されて、幅が変化する傾斜当て板１１が形成され、全体として円錐状体を形成する。
【００２１】
該傾斜当て板１１は框体の後端環縁部分に先の実施例と同様に、対応結合部１１１が形成され、該対応結合部１１１は係止構造（図示せず）により本考案を排風装置外部の排風口部分に結合させる。
【００２２】
該框体１０内側は連接棒１２構造により内層傾斜当て板１３が宙づり状態で連設される。本考案の内層傾斜当て板１３は一層が設けられ、円錐状構造を形成している。傾斜当て板１１と内層傾斜当て板１３の間は空間間隔を以て交互に連設される。
【００２３】
さらに、内層傾斜当て板１３の一面に収容溝１４が設けられ、該平台、凹溝或いは瓶体固定バンドのいずれかとされる。
【００２４】
これにより、本考案の気体導流構造の框体１０は気流を発生する装置外部の排風口部分に取り付けられ、排風装置の発生する風が、該框体１０内部に連設された少なくとも一個の幾何立体状の内層傾斜当て板の阻止と導流を受けて、空気流体の流路が延長され、快適で柔和な自然風のような風を形成する。
【００２５】
また、図８は本考案の第３実施例を示し、該気体導流構造はドライヤーの排風装置に結合され、本考案の上述の機能のほかに、内層傾斜当て板１３の収容溝１４にその他の各種の美容或いはヘアスタイル固定用の芳香液或いは精油が置かれ、本考案の機能の多元応用性が向上される。
【００２６】
さらに、本考案の框体１０の後端環縁部分に対応結合部１１１が環設され、周知の形式の異なる排風装置外部の排風口部分のサイズと形状に合わせ、各種サイズの気体導流構造が製造され、既存の排風装置が即刻本考案と組み合わせて使用され、本考案の研究開発の価値と考案の意義が向上される。
【００２７】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２８】
Ａ  扇風機
Ａ１  前保護網
Ａ２  後ろ保護網
Ａ４  モーター
Ａ３１  羽根
Ａ３２  回転軸
５  扇風機
１０  框体
１１  傾斜当て板
１２  連接棒
１３  内層傾斜当て板
１４  収容溝
１５  精油瓶
５１  羽根
１０１  開口
１１１  対応結合部
【図１】
0003168990.tif 000003
【図２】
0003168990.tif 000004
【図３】
0003168990.tif 000005
【図４】
0003168990.tif 000006
【図５】
0003168990.tif 000007
【図６】
0003168990.tif 000008
【図７】
0003168990.tif 000009
【図８】
0003168990.tif 000010